(57)【要約】【課題】地震時における天井の変位を簡便かつ確実に抑制して周囲の壁面への衝突を防止することのできる耐震天井構造を提供する。【解決手段】吊りボルト２６を介して天井スラブ２８に吊り下げ保持される野縁受け１２と、野縁受け１２に取り付けられる野縁１４と、野縁１４に取り付けられる天井材１６とを有し、天井材１６の外周部と対応位置の壁面３０との間に地震時の天井材１６の変位を吸収する天井制震装置１８を介在させた。【選択図】図１
2008138464.tif 000002
【特許請求の範囲】
【請求項１】
吊り部材を介して天井スラブから吊り下げ保持される野縁受けと、前記野縁受けに取り付けられる野縁と、前記野縁に取り付けられる天井材とを有し、
前記天井材の外周部と対応位置の壁面との間に地震時の前記天井材の変位を吸収する天井制震装置を介在させたことを特徴とする耐震天井構造。
【請求項２】
請求項１において、
前記天井制震装置は、前記天井材に取り付けられる天井側取付部材と、前記壁面側に取り付けられる壁面側取付部材と、前記天井側取付部材と壁面側取付部材との間に設けられた粘弾性材とを有することを特徴とする耐震天井構造。
【請求項３】
請求項２において、
前記天井側取付部材と前記壁面側取付部材の一方に前記粘弾性材の側面を覆う防炎プレートを設けたことを特徴とする耐震天井構造。
【請求項４】
請求項２または３において、
前記天井制震装置は、前記天井側取付部材を前記天井材の上面側に前記天井材下面側からねじにて取り付けるための取付パネルを前記天井側取付部材の下面側に一体的に有することを特徴とする耐震天井構造。
【請求項５】
請求項４において、
前記取付パネルは、前記野縁との隣接辺に前記天井制震装置を前記野縁に仮置きするための仮置き設置治具を有することを特徴とする耐震天井構造。
【請求項６】
請求項４または５において、
前記取付パネル設置対応位置の野縁間に、取付パネル取り付け時の跳ね上がりを防止する跳ね上がり防止治具を掛け渡して設けたことを特徴とする耐震天井構造。
【請求項７】
請求項２〜６のいずれかにおいて、
前記壁面は複数の軽量コンクリートパネルが縦貼りのロッキング工法にて形成され、
前記壁面側取付部材は、複数の軽量コンクリートパネルの幅方向中央天井レベルにボルト止めされた受け材に取り付けられることを特徴とする耐震天井構造。
【請求項８】
天井材に取り付けられる天井側取付部材と、壁面側に取り付けられる壁面側取付部材と、前記天井側取付部材と壁面側取付部材との間に設けられた粘弾性材とを有することを特徴とする天井制震装置。
【請求項９】
請求項８において、
前記天井側取付部材を前記天井材の上面側に前記天井材下面側からねじにて取り付けるための取付パネルを前記天井側取付部材の下面側に一体的に有することを特徴とする天井制震装置。
【請求項１０】
天井材に取り付けられる天井側取付部材と、壁面側に取り付けられる壁面側取付部材と、前記天井側取付部材と壁面側取付部材との間に設けられた粘弾性材と、前記天井側取付部材の下面側に一体的に設けられて前記天井側取付部材を前記天井材に取り付けるための取付パネルと、前記取付パネルの野縁との隣接辺に取り付けられて前記野縁に仮置きするための仮置き設置治具とを有する天井制震装置を前記天井材の外周部と対応位置の壁面との間に介在させる天井制震装置の取付方法であって、
前記仮置き設置治具を前記野縁に引っかけて天井制震装置を野縁に仮置きする工程と、
前記壁面側取付部材を壁面に取り付ける工程と、
外周部の前記天井材を野縁下面側にあてがい、天井材の下面側からねじにて前記取付パネルと天井材とを連結する工程と、
を含むことを特徴とする天井制震装置の取付方法。
【請求項１１】
請求項１０において、
前記天井制震装置を前記野縁間に仮置きした後、前記取付パネル設置対応位置の野縁間に、取付パネル取り付け時の跳ね上がりを防止する跳ね上がり防止治具を掛け渡して設けることを特徴とする天井制震装置の取付方法。
【発明の詳細な説明】
【技術分野】
【０００１】
本発明は、地震時における天井材の落下を防止する耐震天井構造、天井制震装置及び天井制震装置の取付方法に関する。
【背景技術】
【０００２】
地震による被害は、構造躯体については現行の新耐震設計基準以前の基準で設計された建物を中心に生じているが、天井等の非構造部材については設計の時期にかかわらず被害を受けている。
【０００３】
天井等の非構造部材は、従来から構造の観点からも材料の観点からも耐震性について研究されることが少なかった。
【０００４】
ところで、近年では、天井裏空間を空調機器など種々の設備機器の設置空間として利用することが多く、そのため空間を確保しやすい吊り天井構造が多く用いられるようになっている。
【０００５】
このような吊り天井構造は、通常、天井スラブの下面から吊りボルトにより野縁受けを吊り下げ、この野縁受けの下面に野縁を取り付け、さらに、この野縁の下面に天井材を取り付けるようにしている（特許文献１参照）。
【０００６】
そして、このような吊り天井において、天井懐が１．５ｍ程度以上の場合には、地震時に天井部材が大きく揺れるのを防止するため、吊りボルトの上端部と隣接する吊りボルトの下端部または野縁受けとの間に斜めにブレースを配設することが行われている。
【０００７】
また、天井端部と壁面との納まり部分に、１０ｃｍ内外程度のクリアランスを設けることで、地震時に天井が大きく揺れて壁面に衝突し、破損、あるいは落下することを防止するようなことも行われている。
【特許文献１】特開２００４−３０８３５６号公報
【発明の開示】
【発明が解決しようとする課題】
【０００８】
前述のブレースを用いる場合、ブレースは吊りボルト上端部分と、隣接する吊りボルトの下端間または野縁受けとの間に設置されているため、ブレースで動きの止められた部材よりも下方の部材、例えば野縁受けもしくは野縁が大きく滑動することとなる。
【０００９】
滑動幅が壁面と天井端部のクリアランスよりも大きくなると、天井と壁面とが衝突し、これが繰り返されると天井の衝突部分が破損し最終的には落下に至ることとなる。
【００１０】
また、天井面が平面的に捩れながら大きく揺れる場合には、野縁受けと野縁を接合するクリップが外れて天井が落下したり、野縁が座屈して天井材と野縁を接合するビスが抜けて天井材が落下したりすることとなる。
【００１１】
本発明の目的は、地震時における天井の変位を簡便かつ確実に抑制して周囲の壁面への衝突を防止することのできる耐震天井構造、天井制震装置及び天井制震装置の取付方法を提供することにある。
【課題を解決するための手段】
【００１２】
（１）前記目的を達成するため、本発明の耐震天井構造は、吊り部材を介して天井スラブから吊り下げ保持される野縁受けと、前記野縁受けに取り付けられる野縁と、前記野縁に取り付けられる天井材とを有し、
前記天井材の外周部と対応位置の壁面との間に地震時の前記天井材の変位を吸収する天井制震装置を介在させたことを特徴とする。
【００１３】
本発明によれば、天井材の外周部と対応位置の壁面との間に介在させた天井制震装置が地震時における天井材の変位を吸収することにより、簡便かつ確実に天井の変位を抑制して周囲の壁面への衝突を防止することができる。
【００１４】
また、天井制震装置は天井材の周囲に取り付けられるため、周囲の天井材を外すだけで既存建物の天井にも容易に対応することができる。
【００１５】
（２）本発明においては、（１）において、前記天井制震装置は、前記天井材に取り付けられる天井側取付部材と、前記壁面側に取り付けられる壁面側取付部材と、前記天井側取付部材と壁面側取付部材との間に設けられた粘弾性材とを有することができる。
【００１６】
このような構成とすることにより、天井側取付部材と壁面側取付部材との間に粘弾性材を設けた簡略な構造の天井制震装置とすることができ、しかも、粘弾性材によって確実な制震効果を得ることができる。
【００１７】
（３）本発明においては、（２）において、前記天井側取付部材と前記壁面側取付部材の一方に前記粘弾性材の側面を覆う防炎プレートを設けるようにすることができる。
【００１８】
このような構成とすることにより、火災発生時に炎によって粘弾性材が影響を受けるのを防止することができる。
【００１９】
（４）本発明においては、（２）または（３）において、前記天井制震装置は、前記天井側取付部材を前記天井材の上面側に前記天井材下面側からねじにて取り付けるための取付パネルを前記天井側取付部材の下面側に一体的に有するものとすることができる。
【００２０】
このような構成とすることにより、天井制震装置の天井側への取り付けは天井下方側から天井材を通して取付パネルにねじをうつことで可能となり、天井裏側からの作業をなくし、容易に作業を行うことが可能となる。
【００２１】
（５）本発明においては、（４）において、前記取付パネルは、前記野縁との隣接辺に前記天井制震装置を前記野縁に仮置きするための仮置き設置治具を有するものとすることができる。
【００２２】
このような構成とすることにより、天井材を取り付ける前に野縁上に仮置き設置治具を載せるだけで天井制震装置の仮置きを行うことができる。
【００２３】
（６）本発明においては、（４）または（５）において、前記取付パネル設置対応位置の野縁間に、取付パネル取り付け時の跳ね上がりを防止する跳ね上がり防止治具を掛け渡して設けるようにすることができる。
【００２４】
このような構成とすることにより、跳ね上がり防止治具にて取付パネルの上面を抑えることで、天井材の下面側から上方に向けて取付パネルにねじをうつ際に取付パネルが跳ね上がってねじを打ち込めなくなるような状態を防止し、確実なねじ止めを可能にすることができる。
【００２５】
（７）本発明においては、（２）〜（６）のいずれかにおいて、前記壁面は複数の軽量コンクリートパネルが縦貼りのロッキング工法にて形成され、前記壁面側取付部材は、複数の軽量コンクリートパネルの幅方向中央天井レベルにボルト止めされた受け材に取り付けられるようにすることができる。
【００２６】
このような構成とすることにより、地震時に壁面がロッキング挙動を起こしても、受け材が軽量コンクリートパネルの幅方向中央にボルト止めされているため、上下のレベルの変化が生じないようにして破損を防止することができる。
【００２７】
（８）本発明の天井制震装置は、天井材に取り付けられる天井側取付部材と、壁面側に取り付けられる壁面側取付部材と、前記天井側取付部材と壁面側取付部材との間に設けられた粘弾性材とを有することを特徴とする。
【００２８】
本発明によれば、天井側取付部材と壁面側取付部材との間に粘弾性材を設けた簡略な構造の天井制震装置とすることができ、しかも、粘弾性材によって確実な制震効果を得ることができる。
【００２９】
（９）本発明においては、（８）において、前記天井側取付部材を前記天井材の上面側に前記天井材下面側からねじにて取り付けるための取付パネルを前記天井側取付部材の下面側に一体的に有するものとすることができる。
【００３０】
このような構成とすることにより、天井制震装置の取り付けは天井下方側から天井材を通して取付パネルにねじをうつことで可能となり、天井裏側からの作業をなくし、容易に作業を行うことが可能となる。
【００３１】
（１０）本発明の天井制震装置の取付方法は、天井材に取り付けられる天井側取付部材と、壁面側に取り付けられる壁面側取付部材と、前記天井側取付部材と壁面側取付部材との間に設けられた粘弾性材と、前記天井側取付部材の下面側に一体的に設けられて前記天井側取付部材を前記天井材に取り付けるための取付パネルと、前記取付パネルの野縁との隣接辺に取り付けられて前記野縁に仮置きするための仮置き設置治具とを有する天井制震装置を前記天井材の外周部と対応位置の壁面との間に介在させる天井制震装置の取付方法であって、
前記仮置き設置治具を前記野縁に引っかけて天井制震装置を野縁に仮置きする工程と、
前記壁面側取付部材を壁面に取り付ける工程と、
外周部の前記天井材を野縁下面側にあてがい、天井材の下面側からねじにて前記取付パネルと天井材とを連結する工程と、
を含むことを特徴とする。
【００３２】
本発明によれば、外周部の天井材を野縁に取り付ける前に仮置き設置治具により天井制震装置を野縁に仮置きし、その状態で、壁面側取付部材を壁面に取り付けた後、野縁下面に天井材をあてがって、天井材下面側から取付パネルに向けてねじをうてばよく、天井裏側からの作業をなくし、容易に作業を行うことが可能となる。
【００３３】
（１１）本発明においては、（１０）において、前記天井制震装置を前記野縁間に仮置きした後、前記取付パネル設置対応位置の野縁間に、取付パネル取り付け時の跳ね上がりを防止する跳ね上がり防止治具を掛け渡して設けるようにすることができる。
【００３４】
このような構成とすることにより、跳ね上がり防止治具にて取付パネルの上面を抑えることで、天井材の下面側から上方に向けて取付パネルにねじをうつ際に取付パネルが跳ね上がってねじを打ち込めなくなるような状態を防止確実なねじ止めを可能にすることができる。
【発明を実施するための最良の形態】
【００３５】
以下、本発明の好的な実施の形態について、図面を参照して説明する。
【００３６】
図１〜図９は、本発明の一実施の形態に係る耐震天井構造を示す図である。
【００３７】
図１は、本実施の形態に係る耐震天井構造の平面図で、この耐震天井構造１０は、野縁受け１２と、野縁１４と、天井材１６（下貼り天井材６２を含む）と、天井制震装置１８とを有している。
【００３８】
野縁受け１２は、吊り部材としての吊りボルト２６（図５〜図９参照）を介して天井スラブ２８に所定間隔で複数本略平行に吊り下げ保持された状態となっている。
【００３９】
野縁１４は、野縁受け１２の下面側に各野縁受け１２と略直交して各野縁受け１２にまたがる状態で複数本所定間隔で取付け固定されている。
【００４０】
天井材１６は、図３に示すように、野縁１４の下面側にビス等にて取付け固定されて所定面積の天井面を形成している。
【００４１】
この天井面の外周部に位置する天井材１６の端部と壁面３０との間には、図２及び図３に示すように、天井材１６と壁面３０との衝突をさけるために所定間隔の隙間３２が設けられている。
【００４２】
また、天井材１６の端部と壁面３０との間の隙間３２は、壁面３０側に取り付けられた回り縁３４にて覆われるようになっている。
【００４３】
天井制震装置１８は、天井材１６の外周部と対応位置の壁面３０との間に介在されて、地震時における天井材１６の変位を吸収可能になっている。
【００４４】
この天井制震装置１８は、図１に示すように、壁面３０の各辺において所定間隔で複数配置されるようになっている。
【００４５】
天井制震装置１８は、具体的には、図２及び図３に示すように、天井材１６に取り付けられる平坦なプレートからなる天井側取付部材３６と、壁面３０側に取り付けられる平坦なプレートからなる壁面側取付部材３８と、天井側取付部材３６と壁面側取付部材３８との間に設けられた高減衰材である粘弾性材２４とから形成されている。
【００４６】
天井側取付部材３６の下面には、野縁１４間にはめ込み可能な取付パネル４０が一体的に取り付けられている。
【００４７】
この取付パネル４０は合板等の木質系のものからなり、その下面側に天井材１６をあてがって天井材１６の下面側から取付パネル４０に向けてねじ４２を打ち込むことで天井材１６と一体化されるようになっている。
【００４８】
したがって、天井制震装置１８の天井側取付部材３６の取り付けは天井下方側から天井材１６を通して取付パネル４０にねじ４２をうつことで可能となり、天井裏側からの作業をなくし、容易に作業を行うことが可能となる。
【００４９】
また、取付パネル４０には、図２に示すように、野縁１４との隣接辺に天井制震装置１８を野縁１４上に仮置きするための仮置き設置治具４４を複数箇所、例えば４箇所に設け、天井材１６を取り付ける前に野縁１４上に仮置き設置治具４４を載せるだけで天井制震装置１８の仮置きを行うことができるようにしている。
【００５０】
さらに、取付パネル４０の設置対応位置の野縁１４間に、取付パネル４０取り付け時の跳ね上がりを防止する跳ね上がり防止治具４６を掛け渡して設けるようにし、跳ね上がり防止治具４６にて取付パネル４０の上面を抑えることで、天井材１６の下面側から上方に向けて取付パネル４０にねじ４２をうつ際に取付パネル４０が跳ね上がってねじ４２を打ち込めなくなるような状態を防止し、確実なねじ止めを可能にしている。
【００５１】
壁面側取付部材３８は、壁面３０の天井取付け位置に水平に取り付けた調整用受け材４８にボルト５０にて取り付けられるようになっている。
【００５２】
この調整用受け材４８は、例えばチャンネル材が用いられ、壁面３０側への取付片には図示せぬが上下方向にわたるルーズホールが設けられ、ボルト５２にて壁面３０に取り付ける際に壁面側取付部材３８との高さ調整を行えるようにしている。
【００５３】
また、壁面３０は、図４に示すように、複数のＡＬＣ等の軽量コンクリートパネル５４が縦貼りのロッキング工法にて形成され、これら複数の軽量コンクリートパネル５４の幅方向中央天井レベルに調整用受け材４８がボルト止めされるようになっている。
【００５４】
このように、複数の軽量コンクリートパネル５４の幅方向中央天井レベルに調整用受け材４８をボルト止めすることで、地震時に壁面３０がロッキング挙動を起こしても、調整用受け材４８の上下のレベルの変化が生じないようにして、天井制震装置１８の破損を防止できるようにしている。
【００５５】
粘弾性材２４は、例えば高減衰ゴム等からなるもので、上下２枚の金属プレート２０にて挟まれた粘弾性ダンパーを構成するようになっており、各金属プレート２０が天井側取付部材３６及び壁面側取付部材３８に取り付けられるようになっている。
【００５６】
粘弾性材２４は、金属プレート２０に接着材を用いて接着してもよく、粘弾性材２４の加硫時に金属プレート２０と一体化してもよい。
【００５７】
このような粘弾性ダンパーを用いることで、粘弾性材２４が剪断変形することによって天井部材にかかる地震エネルギーを軽減させることができる。
【００５８】
従って、天井制震装置１８が地震時における天井材１６の変位を吸収することにより、簡便かつ確実に天井の変位を抑制して周囲の壁面３０への衝突を防止することができる。
【００５９】
このため、天井材１６の端部と壁面３０との間の隙間３２を小さくすることが可能となり、回り縁３４も小さくすることが可能となる。
【００６０】
また、壁面側取付部材３８の上下面に粘弾性材２４の側面を覆う２枚のＬ字状に曲折した防炎プレート５６、５８を設け、火災発生時に炎によって粘弾性材２４が影響を受けるのを防止するようにしている。
【００６１】
次に、このような天井制震装置の取付方法について、図５〜図９を参照して説明する。
【００６２】
まず、図５に示すように、壁面３０の天井形成位置に調整用受け材４８を取り付けると共に、天井スラブ２８に吊りボルト２６を取り付けて垂下状態にする。
【００６３】
次に、図６に示すように、吊りボルト２６の下端に野縁受け１２を取り付けて天井スラブ２８より吊り下げ状態にし、この野縁受け１２に直交状態で野縁１４を所定間隔で取り付ける。
【００６４】
この状態で、天井制震装置１８を設置可能な状態に組み立てておく。
【００６５】
この場合、取り付けパネル４０の上面に防炎用の鉄板６０を取り付けて、野縁１４の高さと取付パネル４０側の高さが一致するようにしておくと良い。
【００６６】
次いで、図７に示すように、天井の外周部位置で、取り付けパネル４０に取り付けた仮置き設置治具４４を野縁１４上に載置して、天井制震装置１８を野縁１４間に仮置き設置する。
【００６７】
この状態で、調整用受け材４８の高さを合わせながら、壁面側取付部材３８を調整用受け材４８にボルト５０にて取り付ける。
【００６８】
次に、図８に示すように、取付パネル４０の設置対応位置の野縁１４間に、取付パネル４０取り付け時の跳ね上がりを防止する跳ね上がり防止治具４６を掛け渡して設け、跳ね上がり防止治具４６にて取付パネル４０の上面を抑える。
【００６９】
この状態で、下貼り天井材６２を野縁１４の下面にあてがい、下貼り天井材６２の下面側から上方に向けて取付パネル４０にねじ４２をうって下貼り天井材６２と取付パネル４０を一体化する。
【００７０】
この場合、取付パネル４０は跳ね上がり防止治具４６によって上方から抑えられているので跳ね上がってしまうことはない。
【００７１】
そして、図９に示すように、下貼り天井材６２の下面に仕上げ用の天井材１６をあてがい、下面側から一体化する。
【００７２】
この下貼り天井材６２及び仕上げ用の天井材１６の取り付け作業は天井裏側で行う必要がなく、作業を容易に行うことができる。
【００７３】
そして、最後に、壁面と天井材１６との間の隙間３２を回り縁３４で覆えば良い。
【００７４】
本発明は、前記実施の形態に限定されるものではなく、本発明の要旨の範囲内において種々の形態に変形可能である。
【００７５】
例えば、前記実施の形態では、天井制震装置として粘弾性ダンパーを用いた場合を示したが、この例に限らず、オイルダンパーやゴム等を用いることも可能である。
【図面の簡単な説明】
【００７６】
【図１】本発明の一実施の形態にかかる耐震天井構造を示す平面図である。
【図２】図１の耐震天井構造における天井制震装置部分の拡大平面図である。
【図３】図１及び図２の天井制震装置部分の拡大断面図である。
【図４】壁面側取付部材の壁面への取付け位置を示す正面図である。
【図５】天井制震装置の取り付け時における調整用受け材と吊りボルトの取付を示す断面図である。
【図６】図５の状態から野縁受け及び野縁の取り付け状態を示す断面図である。
【図７】図６の状態から天井制震装置の設置状態を示す断面図である。
【図８】図７の状態から下貼り天井材の取付け状態を示す断面図である。
【図９】図８の状態から仕上げを行う状態を示す断面図である。
【符号の説明】
【００７７】
１０  耐震天井構造
１２  野縁受け
１４  野縁
１６  天井材
１８  天井制震装置
２４  粘弾性材
２６  吊りボルト
２８  天井スラブ
３０  壁面
３２  隙間
３６  天井側取付部材
３８  壁面側取付部材
４０  取付パネル
４４  仮置き設置治具
４６  跳ね上がり防止治具
５４  軽量コンクリートパネル
５６、５８  防炎プレート
【図１】
2008138464.tif 000003
【図２】
2008138464.tif 000004
【図３】
2008138464.tif 000005
【図４】
2008138464.tif 000006
【図５】
2008138464.tif 000007
【図６】
2008138464.tif 000008
【図７】
2008138464.tif 000009
【図８】
2008138464.tif 000010
【図９】
2008138464.tif 000011